(57)【特許請求の範囲】
【請求項１】
デジタル回線を接続するデジタル回線接続手段と、デジタル端末を接続するデジタル端末接続手段と、アナログ端末を接続するアナログ端末接続手段とを有し、前記デジタル回線を前記デジタル端末または前記アナログ端末に接続するターミナルアダプタ装置において、
前記デジタル回線から着信要求コードを受信する受信手段と、
前記アナログ端末への着信かどうかを判断する判断手段と、
前記アナログ端末への着信であると判断された場合に、前記アナログ端末の呼出し音を鳴らすためのリング信号を前記アナログ端末がオフフックするまで送出する前記アナログ端末の呼出し手順を行う呼出し手段と、
前記アナログ端末への着信であると判断された場合に、前記受信された着信要求コードから変換したアナログ信号を、着信時にアナログ回線から発信番号を受信する機能を有するアナログ端末が受信できるように、前記アナログ端末の呼出し手順の中で、前記アナログ端末に送出するアナログ信号送出手段を有し、
前記判断手段は、前記着信要求コードに含まれる伝達能力及び通信クラスに基づき、伝達能力が音声で、通信クラスが電話の場合、前記アナログ端末への着信であると判断することを特徴とするターミナルアダプタ装置。
【発明の詳細な説明】
【０００１】
【発明の属する技術分野】
本発明は、電話などのアナログ通信機器及びパソコンなどのデジタル通信機器をデジタル回線網に接続するためのターミナルアダプタ（Ｔｅｒｍｉｎａｌ  Ａｄａｐｔｅｒ）装置（ＴＡ）に関する。
【０００２】
【従来の技術】
近年、インターネットを代表とするパソコン通信の急速な普及を通して、ＩＳＤＮ（Ｉｎｔｅｇｒａｔｅｄ  Ｓｅｒｖｉｃｅ  Ｄｉｇｉｔａｌ  Ｎｅｔｗｏｒｋ）などのデジタル通信網が注目を集めている。それに従い、ＩＳＤＮ−ＴＡ（Ｔｅｒｍｉｎａｌ  Ａｄａｐｔｅｒ）も数多く市場に出始め、高速データ通信のニーズは高まっている。
【０００３】
このＩＳＤＮ−ＴＡは、ＩＳＤＮがゆえに２回線同時に使用できるので、パソコン通信と電話（ＦＡＸも含む）を同時に使用出来る。
【０００４】
この様な２回線の同時使用のために、通常のＩＳＤＮ−ＴＡは、パソコンとのインターフェイスとしてＲＳ−２３２Ｃなどのデジタルポートを有し、さらに、このポート以外にもデジタル電話などのデジタル機器を接続するためのデジタルポート（ＩＳＤＮで言うＳ／Ｔ点インターフェイス）も有している。また、さらに、従来のアナログ電話や、従来のＦＡＸが接続できるように、アナログポート（モジュラージャック）を有するものが主流になり、最近では、アナログポートを複数個有するものが開発されている。この構成であれば、パソコン通信、電話（デジタル）、電話（アナログ）、ＦＡＸなどから、任意の２種類の通信／通話が可能になる。
【０００５】
図１に、一般のＴＡの接続形態を示す。１００は、ＴＡであり、回線インターフェイス１０１を通じ、ＩＳＤＮなどのデジタル通信回線とデータ／音声電送を行うものである。１０２は、前記したパソコンと接続するための、デジタルポート、１０３は、デジタル電話などのデジタル通信機器とを接続するためのデジタルポート、１０４は、アナログ電話やＦＡＸを接続するためのアナログポート、１０５は、１０４と同様のアナログポートであり、この例では、アナログポートが２本の場合を示している。
【０００６】
この図１の構成であれば、パソコン通信の通信速度を、デジタル回線を用いることで、より高速に出来、さらに、パソコン通信と同時に電話、ＦＡＸが使用可能となる。
【０００７】
尚、図１には、通信チャンネルを２つ有するＩＳＤＮ回線を１本接続するＴＡ装置を示したが、ＩＳＤＮ回線を複数本（ｎ本）接続し、２×ｎ個の端末が同時に通信可能な構内交換機（ボタン電話も含む）もある。
【０００８】
又、ＩＳＤＮ回線などのデジタル回線とアナログ回線の両方を接続する構内交換装置もある。
【０００９】
又、このような通信において、便利な機能に発信番号通知（コーラ（ｃａｌｌｅｒ）ＩＤ）機能がある。これは、着信時に着信者に電話をかけてきた発信者の電話番号を通知する機能であり、迷惑電話の防止などに効果を発揮する。
【００１０】
デジタル網であるＩＳＤＮ網においては、この発信番号通知機能は、以前よりサポートされており、例えば、ＮＴＴのＩＮＳ６４サービスでは、無料でこの機能を使用できる。したがって、ＩＳＤＮに接続されるデジタル電話などのたいていのデジタル機器では、この機能に対応している。例えば、ＬＣＤ（液晶表示器）などの表示器を有し、着信時に相手の電話番号を表示したり、この相手の電話番号を記憶したりして、再発呼時のデータとして活用するなどの機能が付加されている。
【００１１】
さらに、アナログ網であるＰＳＴＮ網（Ｐｕｂｌｉｃ  Ｓｗｉｔｃｈｅｄ  Ｔｅｌｅｐｈｏｎｅ  Ｎｅｔｗｏｒｋ）においても、アメリカ、カナダ、イギリスなどではすでにサービスが行われ、日本でも近日中にこのサービスが開始される予定であり、これに対応したＰＳＴＮ用のアナログ電話が続々と開発されつつある。
【００１２】
【発明が解決しようとする課題】
しかしながら、前記した一般のＴＡや構内交換機では、アナログ機器接続用のアナログポートは有しているものの、アナログポートに接続されたアナログ機器には発信番号は通知されない。
【００１３】
従って、既存の発信番号通知機能を有するアナログ機器を接続しても、この機能が失われ、既存の資源を有効に活用できなかった。
【００１５】
【課題を解決するための手段】
本発明は、上記の欠点を解決するために、デジタル回線を接続するデジタル回線接続手段と、デジタル端末を接続するデジタル端末接続手段と、アナログ端末を接続するアナログ端末接続手段とを有し、前記デジタル回線を前記デジタル端末または前記アナログ端末に接続するターミナルアダプタ装置において、前記デジタル回線から着信要求コードを受信する受信手段と、前記アナログ端末への着信かどうかを判断する判断手段と、前記アナログ端末への着信であると判断された場合に、前記アナログ端末の呼出し音を鳴らすためのリング信号を前記アナログ端末がオフフックするまで送出する前記アナログ端末の呼出し手順を行う呼出し手段と、前記アナログ端末への着信であると判断された場合に、前記受信された着信要求コードから変換したアナログ信号を、着信時にアナログ回線から発信番号を受信する機能を有するアナログ端末が受信できるように、前記アナログ端末の呼出し手順の中で、前記アナログ端末に送出するアナログ信号送出手段を有し、前記判断手段は、前記着信要求コードに含まれる伝達能力及び通信クラスに基づき、伝達能力が音声で、通信クラスが電話の場合、前記アナログ端末への着信であると判断することを特徴とする。
【００１８】
したがって、前記着信要求コードに含まれる伝達能力及び通信クラスに基づき、伝達能力が音声で、通信クラスが電話の場合、アナログ端末への着信であると判断し、前記受信された着信要求コードから変換したアナログ信号を、着信時にアナログ回線から発信番号を受信する機能を有するアナログ端末が受信させることができる。
【００２７】
【発明の実施の形態】
図２に本発明を実施したターミナルアダプタ（１１０）の構成図を示す。以下に図面に従って本発明の実施の形態を詳細に説明する。
【００２８】
２００は、トランス、コネクタなどから構成される回線インターフェイスであり、ＩＳＤＮなどのデジタル回線とのデータの受け口である。この回線インターフェイス（２００）にはＩＳＤＮインターフェイス（２０３）が接続され、ＩＳＤＮインターフェイス（２０３）は、回線上の制御データを処理する。このＩＳＤＮインターフェイス（２０３）はバス（２１７）に接続され、このバス（２１７）には、装置を制御する中央処理部であるＣＰＵ（２０１）、データ及びプログラムを記憶するメモリ（２０２）、デジタル回線データ速度とＴＡ（１１０）の各ポートのデータ速度を整合する速度整合（２０４）、パソコンなどのデジタル機器に接続するためのデジタルポート（２０５）、セレクタ（２０９）及びアナログポート（２１０）を介してアナログ電話などのアナログ機器と接続され、アナログ端末への信号を発生する信号発生器（２０６）及びアナログ端末への変調信号を発生するモデム（２０７）及びアナログ端末との音声／データの符号／復号を行うコーデック（２０８）が接続されている。
【００２９】
さらに、回線インターフェイス（２００）からは、デジタル電話などのデジタル端末を接続するために、デジタルポート（２１６）が接続されている。
【００３０】
又、信号発生器（２１１）、モデム（２１２）、コーデック（２１３）、セレクタ（２１４）及びアナログポート（２１５）は、アナログポート（２１０）とバス（２１７）間でのアナログポート（２１０）用に設けられた構成と同じ物であり、本例ではアナログポートが２本用意されている場合を示している。しかしながら、本発明は、アナログポートが２本の場合に限らず、１本でも、３本以上の装置にも適用できる。又、デジタルポートの数も同様である。デジタルポート（２０５）と（２１６）の一方のみを設けてもよいし、又、パソコンやデジタル端末は接続しなくてもよい。
【００３１】
次に、各接続形態別に動作を説明する。
【００３２】
パソコン通信時。
【００３３】
ＩＳＤＮからの受信データは、回線インターフェイス（２００）、及びＩＳＤＮインターフェイス（２０３）を通じて、受信された制御データにより、パソコン通信と判断したら、ＣＰＵ（２０１）は、受信データをバス（２１７）を通じて、ＲＳ−２３２Ｃ、セントロニクスなどのデジタルポート（２０５）へ出力する。この判断は、例えば、ＩＳＤＮ回線の場合、着信要求の制御信号に含まれる伝達能力や通信クラスなどの通信の種別などから行える。
【００３４】
この時、場合によってはＩＳＤＮインターフェイス（２０３）からの受信データは、回線側通信速度（例：６４ｋｂｐｓ）と、ＰＣ側の通信速度（例：１９．２ｋｂｐｓ）の整合をはかる速度制御（２０４）（例：ＩＴＵ−Ｔ勧告。Ｖ．１１０機能）を通してから、デジタルポート（２０５）へ出力する事もある。さらに、図示はしていないが回線上のデータフォーマット（例えば、ＨＤＬＣフォーマットなど）との整合をとる必要がある場合も考えられ、この場合は、フォーマット変換処理などが必要になる。（例：非同期−同期ＰＰＰ（Ｐｏｉｎｔ  ｔｏ
Ｐｏｉｎｔ  Ｐｒｏｔｏｃｏｌ）変換など）。
【００３５】
パソコンからのデータ送信は、上記の逆のパスで同様の処理となる。この時、デジタル端末の発信番号は、通常のＩＳＤＮでのサービスを使って発信可能である。
【００３６】
このパソコン通信時に制御信号でＩＳＤＮから受信（通知）された発信番号は、デジタルポート（２０５）を介して、直接パソコンに伝達してもよいが、ＴＡ内部（メモリ（２０２））に番号を設定しておき、受信時に、ＴＡ内部の番号と着信した発信番号とを比較し、その結果に応じてパソコンを呼出すか呼出さないかの決定などの着信制御に反映させる。
【００３７】
デジタル端末での通信。
【００３８】
ＩＳＤＮからの受信データ／音声は、回線インターフェイス（２００）を通じて受信され、このデータが直接デジタルポート（２１６）に出力される。ここでいうデジタル端末とは、デジタル電話などの、直接デジタル回線に接続されるもので、デジタル端末では、通常、上記のＴＡ（１００）でのＩＳＤＮインターフェイス（２０３）と同様の回路を内蔵しているので、回線インターフェイス（２００）と直接デジタルポート（２１６）を接続している。
【００３９】
ＩＳＤＮへのデータ／音声送信は、上記とは逆のパスで行われる。この時、デジタル端末の発信番号は、通常のＩＳＤＮでのサービスを使って発信可能である。
【００４０】
アナログ端末での通信。
【００４１】
この場合は、図３のフローチャートもまじえて詳細に説明する。尚、この図３のフローチャートは、メモリ（２０２）に格納されたプログラムを説明する図であり、ＣＰＵ（２０１）は、このプログラムに従って動作する。
【００４２】
アナログ端末での通信には、アナログ端末へダイヤルトーン、リングバックトーン、ビジートーン、及びリング信号を送出する信号発生器（２０６、２１１）、アナログ端末へ発信番号を送出するモデム（２０７、２１２）、及びアナログ端末の音声／データ（アナログ信号）と回線上のデジタル信号の相互変換を行うコーデック（２０８、２１３）、及びこれらとアナログポート（２１０、２１５）との接続を選択するセレクタ（２０９、２１４）を使用する。
【００４３】
本例では、例としてアナログポートを２本装備している場合を示しているが、各アナログ端末−ＴＡ（１１０）間の動作、構成は同じなので、１本のアナログ端末−ＴＡ間の動作（具体的にはアナログポート（２１０）を使用する場合）について説明する。
【００４４】
まず、受信（着信）に関して説明する。着信時のＴＡ（１１０）のフローチャートを図３に示す。
【００４５】
最初に網側からの着信要求があるかどうかをチェックする（ｓｔｅｐ１）。具体的には、網から着信要求制御コードが送られてくるのを待つ（より具体的に、ＩＳＤＮの場合は、網から制御チャネル（Ｄチャネル）を通じて着信要求コード（ｓｅｔｕｐコード）が受信されるのを待つ）。ここで、実際に受信された着信要求コードは、回線インターフェイス（２００）、ＩＳＤＮインターフェイス（２０３）、及びバス（２１７）を介してメモリ（２０２）または直接ＣＰＵ（２０１）へ送られる。この受信コードをＣＰＵ（２０１）が解読し、着信要求かどうかを判断する。
【００４６】
この着信要求コードの中に、データが音声かデジタルデータかなどを示す伝達能力や、電話、ＦＡＸなどの区別を示す通信クラスのデータと共に、発信番号（発信者の番号）、着信番号などが含まれる。
【００４７】
着信要求があると判断されると、次ステップ（ｓｔｅｐ２）に進み、ＣＰＵ（２０１）は、前記の伝達能力、通信クラス、及び発着信番号などからアナログポートへの着信かどうかを判断する。具体的には、例えば、伝達能力が音声で、通信クラスが電話の場合、電話が接続されたアナログポート（例えば、（２１０））への接続を、伝達能力が３．１ｋＨｚオーディオで、通信クラスがＧ２／Ｇ３ＦＡＸであれば、ＦＡＸが接続されたアナログポート（例えば、（２１５））への接続を判断する。どのアナログポートに、どの種類の端末が接続されているかは、予めメモリ（２０２）に格納されている。または、予め各デジタル／アナログポートの別々の着信番号（サブアドレスを含む）をつけて、メモリ（２０２）に登録しておけば、着信要求に付加された着信番号からアナログポートへの着信を判断することもできる。
【００４８】
デジタルポートへの接続が判断されたら、ｓｔｅｐ１０へ進む。
【００４９】
一方、アナログポートへの接続が判断されたら、次ステップ（ｓｔｅｐ３）へ進み、ＴＡ（１１０）がアナログ端末へリング信号を送出する。通常のアナログ回線でのリング信号は網側の交換機が出すが、ＩＳＤＮなどのデジタル網ではこのリング信号が来ないため、ＴＡ（１１０）が疑似的に作る必要がある。このリング信号を発生するのが信号発生器（２０６）である。このタイミングでは、ＣＰＵ（２０１）は信号発生器（２０６）にリング信号の発生を指示し、指定されたアナログポートにこのリング信号が出力されるように、セレクタ（２０９）を制御する。このリング信号とは、電話の呼出し音を鳴らすために使用されるもので、例えば、１秒オン、２秒オフなどの周期で決められた周波数の信号である。
【００５０】
アナログ回線での発信番号通知は、このリング信号のオフの期間に、発信番号を変調した波形を埋め込むことにより実現できる。図４にこの場合のリング信号と発信番号の信号を示す。Ｔｏが、リング信号のオン期間、Ｔｆがリング信号のオフ期間であり、このＴｆ期間にモデム（２０７）で前記のセットアップ信号などで伝達された発信番号の変調信号（ＩＴＵ−Ｔ勧告Ｖ．２３などの変調を用いる）を図示したように埋め込む。このアナログポートに接続された発信番号通知機能対応のアナログ端末（アナログ電話など）には、この変調信号を復調するモデムを持ち、この復調信号から発信番号を得ることが出来る。
【００５１】
ＴＡ（１１０）のＣＰＵ（２０１）は、アナログ電話が着信可能（オフフック）になるまで、図４に示したリング信号と発信番号（ＩＳＤＮから着信された着信要求コードに含まれていた発信番号）が埋め込まれた変調信号を交互に出力し続ける。具体的には、信号発生器（２０５）からのリング信号とモデム（２０７）からの変調信号が、セレクタ（２０９）で交互に切り替えて出力される様に、信号発生器（２０６）、モデム（２０７）、セレクタ（２０９）を制御する。
【００５２】
アナログ端末がオフフックになった（アナログ端末がリング信号に応答した）と判断した場合、ＣＰＵ（２０１）は、次のステップ（ｓｔｅｐ６）に進み、実際の音声／データ通信を開始する。このオフフックの判断はアナログポート（２１０）からの出力に基づいてＣＰＵ（２０１）が行う。ここでは、回線のデジタル音声／データを、アナログ音声／データに変換、及びその逆の変換を行うために、コーデック（２０８）を使用する。すなわち、ＣＰＵ（２０１）は、セレクタ（２０９）が、コーデック（２０８）とアナログポート（２１０）を接続するように制御する。コーデック（２０８）は、例えば、ＰＣＭ（Ｐｕｌｓｅ  Ｃｏｄｅ  Ｍｏｄｕｌａｔｉｏｎ）コーデック（コーダ／デコーダ）であり、アナログ音声又はアナログデータとデジタル音声又はデジタルデータの変換を行う。
【００５３】
又、網に応答信号を送出して、相手と接続される様にする。
【００５４】
これで、通常の通話が可能になる（ｓｔｅｐ７）。この通話の終了をオンフックなどで検知すると（ｓｔｅｐ８）、通話を終了する。
【００５５】
以上がアナログ端末の着信動作である。次に、アナログ端末の発信動作について説明する。
【００５６】
アナログ端末がフックをオフし、発信先の電話番号にあたるトーン信号（ＤＴＭＦ：Ｄｕａｌ  Ｔｏｎｅ  Ｍｕｌｔｉ  Ｆｒｅｑｕｅｎｃｙなど）を受け取ると、モデムまたは図示しない他の回路でトーン信号を解読し、この番号をＣＰＵ（２０１）へ伝え、ＣＰＵ（２０１）では、ＴＡ（１１０）のメモリ（２０２）の設定によるが、個々のアナログポート（発信端末が接続された）に付けられた発信番号（発信する端末の電話番号であり、メモリ（２０２）に各アナログポートに対応して登録されている。）、又は（発信端末に応じた発信番号が登録されていなければ）ＴＡ（１１０）全体に付けられた発信番号と、前記した伝達能力、通信クラスなどを含めて、発信要求の制御コードを組み立て、ＩＳＤＮインターフェイス（２０１）、及び回線インターフェイス（２００）を介して回線側に発信を要求する。回線側でこの要求が受け入れられると、回線から発信可能である制御コードが返され、これをＣＰＵ（２０１）が受け取ると、前記したアナログポートでの通話及びデータ通信の接続形態にし、通話及びＦＡＸなどのデータ通信が可能になる。
【００５７】
この場合、ＴＡ（１１０）に接続されているのがアナログ端末であっても、この端末あるいはＴＡ（１１０）に付けられた発信番号を網側に通知することができる。したがって、相手機がデジタル端末であれば、送信した発信番号を相手機まで通知することができる。
【００５８】
上記の例では、アナログ端末へ各種アナログ信号を発生するために信号発生器を用いたが、本発明はこれに限らない。例えば、通常のモデムはトーン信号を発生することができるので、特に信号発生器を用意しなくても、モデムで兼用することは可能である。モデムでリング信号を発生することもできる。また、ＴＡとして、デジタルポート２、アナログポート２本を持つ例を示したが、これに限定しない。さらに、デジタル回線としてＩＳＤＮ回線の場合を述べたが、他の専用線などのデジタル回線にも応用できる。
【００５９】
尚、図３示のフローチャートを含むＣＰＵ（２０１）の動作プログラムは、予めメモリ（２０１）に格納されているが、デジタルポート（２０５）に接続されたパソコンから、又は、ＩＳＤＮを介して遠隔地に存在するパソコンから設定、更新できる様にしてもよい。また、このプログラムは、構内交換装置（３００）の電源オン時に不図示のディスクメモリからメモリ（３０２）に読み込むようにしてもよい。
【００６０】
図５に本発明を実施した構内交換装置（３００）の構成図を示す。
【００６１】
３０４はＩＳＤＮ（デジタル）回線インターフェイスであり、外線として、ＩＳＤＮ（３０８）を接続し、ＩＳＤＮ回線上の制御データを処理する。３０５はＰＳＴＮ（アナログ）回線インターフェイスであり、外線としてＰＳＴＮ（３０９）を接続し、ＰＳＴＮ（３０５）からの着信の検出、ＰＳＴＮ（３０９）への発信を行う。
【００６２】
３０６はデジタル端末インターフェイスであり、内線としてデジタル端末（３１０Ａ、Ｂ）を接続する。３０７はアナログ端末インターフェイスであり、内線としてアナログ端末（３１１Ａ、３１１Ｂ）を接続する。アナログ端末インターフェイス（３０７）は、アナログ端末（３１１Ａ、３１１Ｂ）の夫々に対応して、図２の信号発生器（２０６）、モデム（２０７）、コーデック（２０８）を有する。すなわち、アナログ端末の数が２個ならば、アナログ端末インターフェイス（３０７）は、信号発生器、モデム、コーデックの組を２組有する。
【００６３】
３０３は交換スイッチであり、ＩＳＤＮ回線インターフェイス（３０４）、ＰＳＴＮ回線インターフェイス（３０５）、デジタル端末インターフェイス（３０６）、アナログ端末インターフェイス（３０７）を相互に接続する。
【００６４】
３０１はＣＰＵであり、ＩＳＤＮ（３０８）からアナログ端末（３１１Ａ、３１１Ｂ）への着信時には、図３示の動作、特に、アナログ端末インターフェイス（３０７）に対してＳｔｅｐ３から８の制御を行う。尚、ｓｔｅｐ６では、着信中のＩＳＤＮ回線と応答したアナログ端末が接続される様に交換スイッチ（３０３）を制御する。３０２はメモリであり、図３示のフローチャートを含むプログラムを格納する。
【００６５】
尚、図３示のフローチャートを含むＣＰＵ（３０１）の動作プログラムは、予めメモリ（３０２）に格納されているが、デジタル端末インターフェイス（３０６）に接続されたデジタル端末から、又は、ＩＳＤＮ（３０８）を介して遠隔地から設定、更新できる様にしてもよい。また、このプログラムは、構内交換装置（３００）の電源オン時に不図示のディスクメモリからメモリ（３０２）に読み込むようにしてもよい。
【００６６】
また、図３示のフローチャートを実現するためには、構内交換装置（３００）にＰＳＴＮ（３０９）を接続しなくてもよい。又、デジタル端末も同様に接続しなくても良い。
【００６７】
次に、ＰＳＴＮ（３０９）からの図４示のリング信号が受信されて、デジタル端末（３１０Ａ、３１０Ｂ）にその着信を通知する場合に関して図６のフローチャートを参照して説明する。図６のフローチャートを含むプログラムは、メモリ（３０２）に予め記憶されている。このプログラムは、デジタル端末（３１０Ａ、Ｂ）から、または、ＩＳＤＮ（３０８）を介して遠隔地から、書き込み、変更できるようにしても良い。または、構内交換装置（３００）の電源オン時に不図示のディスクメモリからメモリ（３０２）に格納するようにしても良い。
【００６８】
尚、ＰＳＴＮ回線インターフェイス（３０５）は、ＰＳＴＮ回線の夫々に対してリング信号検出回路およびモデムを有する。すなわち、ＰＳＴＮ回線が２本ならば、ＰＳＴＮ回線インターフェイス（３０５）は、リング信号検出回路およびモデムの組を２組有する。最初に、ＰＳＴＮ回線インターフェイス（３０５）は、ＰＳＴＮ（３０９）からのリング信号を検出すると、ＰＳＴＮ回線を一旦捕捉し、ＰＳＴＮ回線から受信される変調信号を復調して発信番号（発信者の番号）を検出する。
【００６９】
ＣＰＵ（３０１）は、Ｓｔｅｐ２０、２１で、リング信号が受信されたこと、及び、リング信号の次に受信された変調信号中の発信番号の通知をＰＳＴＮ回線インターフェイス（３０９）から受ける。そして、ＣＰＵ（３０３）は、Ｓｔｅｐ２１で通知された発信番号を含む着信要求コードをデジタル端末（３１０Ａ、３１０Ｂ）に送出する様に、デジタル端末インターフェイス（３０６）に指示する（Ｓｔｅｐ２２）。
【００７０】
ここで、デジタル端末（３１０Ａ）が、図２のデジタルポート（２１６）に接続されたデジタル端末と同様のＩＳＤＮ端末である場合、デジタル端末インターフェイス（３０６）は、ＰＳＴＮ（３０９）からリング信号の後に図４の変調信号として受信された発信番号をその発信番号として含むｓｅｔｕｐコードを、制御チャンネル（Ｄチャンネル）を通じてデジタル端末（３１０Ａ）に送出する。
【００７１】
尚、デジタル端末インターフェイス（３０６）は、ＣＰＵ（３０１）の制御の基に、このｓｅｔｕｐコードの伝送能力を音声に、通信クラスを電話に設定する。又、特定のＰＳＴＮ回線がＧ３ファックス専用にしてある場合（予め、そのように相手に連絡してある場合）、デジタル端末インターフェイス（３０６）は、ｓｅｔｕｐコードの伝送能力を３．１ｋＨｚオーディオに、通信クラスをＧ３／Ｇ２ＦＡＸに設定する。
【００７２】
そして、ＣＰＵ（３０１）は、デジタル端末（３１０ＡまたはＢ）がｓｅｔｕｐコードに応答するか、発呼側が発信を放棄してＰＳＴＮ（３０９）からのリング信号が消滅するかを判断する（Ｓｔｅｐ２３、２７）。ここで、Ｓｔｅｐ２７で、リング信号が消滅したら、すなわち、図４のＴｆ期間経過後も次のリング信号が検出されなければ、デジタル端末（３１０Ａ、Ｂ）に発呼側が切断したことをデジタル端末インターフェイス（３０６）を介して通知する。
【００７３】
Ｓｔｅｐ２３で、デジタル端末（３１０Ａ、Ｂ）のいずれかが応答したら、ＣＰＵ（３０１）は、ＩＳＤＮインターフェイス（３０４）によりＩＳＤＮ（３０８）に被呼側が応答したことを通知し、交換スイッチ（３０３）を制御して着信したＩＳＤＮ回線と応答したデジタル端末を接続する（Ｓｔｅｐ２４）。
【００７４】
これで、通話／通信状態になる（Ｓｔｅｐ２５）。この通話／通信の終了を検知すると（Ｓｔｅｐ２６）、本処理を終了する。
【００７５】
尚、図６示のフローチャートを実現するためには、構内交換装置（３００）にＩＳＤＮ（３０８）を接続しなくてもよい。又、アナログ端末も同様に接続しなくても良い。
【００７６】
次に、アナログ端末（３１１Ａ）に、アナログ端末（３１１Ａ）に対応する情報を送出する場合のアナログ端末接続装置である構内交換装置（３００）のＣＰＵ（３０１）の制御を図７のフローチャートを参照して説明する。図７のフローチャートを含むプログラムは、メモリ（３０２）に予め記憶されている。このプログラムは、デジタル端末（３１０Ａ、Ｂ）から、または、ＩＳＤＮ（３０８）を介して遠隔地から、書き込み、変更できるようにしても良い。または、構内交換装置（３００）の電源オン時に不図示のディスクメモリからメモリ（３０２）に格納するようにしても良い。
【００７７】
尚、先に説明したように、アナログ端末（３１１Ａ）は図４に示される様なリング信号を網（ＰＳＴＮ）から受信すると、リング信号の間に受信される発信番号に応じて変調されたアナログ信号を受信して、発信番号を表示する機能を有する。
【００７８】
図７の例では、デジタル端末（３１０Ａ、Ｂ）は、必ずしも構内交換装置（３００）に接続しなくても良い。また、ＩＳＤＮ（３０８）とＰＳＴＮ（３０９）の一方も、構内交換装置（３００）に接続しなくても良い。
【００７９】
アナログ端末（３１１Ａ）で、オフフック状態で所定の特番が入力されると、ＣＰＵ（３０１）は、Ｓｔｅｐ３０で、アナログ端末インターフェイス（３０７）によりその特番に応じたダイヤル信号が受信されるので、Ｓｔｅｐ３１へ進む。
【００８０】
ＣＰＵ（３０１）は、Ｓｔｅｐ３１、３２で、アナログ端末（３１１Ａ）がオンフックしたことをアナログ端末インターフェイス（３０７）により検出すると、アナログ端末インターフェイス（３０７）を制御して、アナログ端末（３１１Ａ）にリング信号を送出し、アナログ端末（３１１Ａ）に対応する情報に応じて変調されたアナログ信号を送出する。
【００８１】
尚、Ｓｔｅｐ３２で送出されるアナログ信号は、図４示のリング信号の間で発信番号を伝送するのと同じ変調方式を用いる。
【００８２】
したがって、アナログ端末（３１１Ａ）は、発信番号と同じように、アナログ端末に対応する情報を復調して表示することができる。
【００８３】
ここで、ＣＰＵ（３０１）は、アナログ端末（３１１Ａ）がオフフックするまで、Ｓｔｅｐ３１、３２を繰り返しても良いが、Ｓｔｅｐ３１、３２を１回実行すると、あるいは、所定回（２、３回）、繰り返すと、このアナログ端末（３１１Ａ）に対応する情報を送出する処理を終了しても良い。この様にすると、余計な呼出音が何度も発生することを防ぐことができる。
【００８４】
尚、図７の処理を、アナログ端末接続装置として、図５の構内交換装置（３００）が実行する例を説明したが、図２のターミナルアダプタ（１１０）が実行するようにしてもよい。
【００８５】
次に、デジタル端末（３１９Ａ）に、デジタル端末（３１０Ａ）に対応する情報を送出する場合のデジタル端末接続装置である構内交換装置（３００）のＣＰＵ（３０１）の制御を図８のフローチャートを参照して説明する。図８のフローチャートを含むプログラムは、メモリ（３０２）に予め記憶されている。このプログラムは、デジタル端末（３１０Ａ、Ｂ）から、または、ＩＳＤＮ（３０８）を介して遠隔地から、書き込み、変更できるようにしても良い。または、構内交換装置（３００）の電源オン時に不図示のディスクメモリからメモリ（３０２）に格納するようにしても良い。
【００８６】
尚、デジタル端末（３１０Ａ）は、ＩＳＤＮ（３０８）からの着信要求コードであるｓｅｔｕｐコードを受信すると、その受信したコード中に含まれる発信番号を表示する機能を有する。
【００８７】
図８の例では、アナログ端末（３１１Ａ、Ｂ）は、必ずしも構内交換機（３００）に接続しなくても良い。
【００８８】
デジタル端末（３１１Ａ）からの所定のｓｅｔｕｐコード（例えば、含まれる発信番号が所定の値を有する）がデジタル端末インターフェイス（３０７）を介して受信されると（Ｓｔｅｐ４０）、ＣＰＵ（３０１）は、デジタル端末（３１１Ａ）に対応する情報を発信番号として含むｓｅｔｕｐコードを作成し（Ｓｔｅｐ４１）、デジタル端末（３１１Ａ）に対応する情報が発信番号の領域に挿入されたｓｅｔｕｐコードをデジタル端末（３１１Ａ）に送出する様にデジタル端末インターフェイス（３０７）を制御する。
【００８９】
ここで、発信番号の代わりに送出されるアナログ端末またはデジタル端末に応じた情報とは、アナログ端末またはデジタル端末に固有の情報（さらに詳しくは、接続された端子の情報、または、内線番号）である。または、例えば、アナログ端末またはデジタル端末による利用結果を表わす情報（さらに詳しくは、通信料金情報、または、通信時間情報）である。または、例えば、制限情報（さらに詳しくは、発信先制限情報、または、使用者制限情報、または、着信時の呼出しの制限）である。なお、着信時の呼出しの制限とは、着信時に、発信者情報または被呼者情報または通信属性などの着信時に通知される情報に応じて、その端末を呼出すか否かを表わす情報であり、言い換えれば、着信時に、その端末が呼出されるかを表わす予め設定された情報である。これらの情報は、発信アナログ端末またはデジタル端末に対応して、メモリ（３０２）に格納されている。
【００９０】
アナログ端末またはデジタル端末は、この情報を発信番号として、表示するので、アナログ端末またはデジタル端末において、この情報を表示することができる。
【００９１】
また、以上の説明ではアナログ信号で発信番号を伝達するために、リング信号のオフ期間に発信番号を埋め込む例を述べたが、リング信号に先立って発信番号を伝達する網、あるいは、その網に対応する端末を接続するターミナルアダプタ装置又は構内交換装置にも応用可能である。
【００９２】
【発明の効果】
以上説明したように、本発明によれば、着信要求コードに含まれる伝達能力及び通信クラスに基づき、伝達能力が音声で、通信クラスが電話の場合に、ターミナルアダプタに接続されたアナログ端末が有する、アナログ回線から発信番号を受信する機能を利用して、着信要求コードに含まれる情報を、アナログ端末に通知することができる。
【図面の簡単な説明】
【図１】従来のＴＡの構成図である。
【図２】本発明を実施したＴＡの内部構成図である。
【図３】本発明を実施したＴＡの動作を示すフローチャート図である。
【図４】発信番号を通知するリング信号の図である。
【図５】本発明を実施したＰＢＸの内部構成図である。
【図６】本発明を実施したＰＢＸの着信時の動作を示すフローチャート図である。
【図７】本発明を実施したＰＢＸのアナログ端末からの特番入力時の動作を示すフローチャート図である。
【図８】本発明を実施したＰＢＸのデジタル端末から所定のｓｅｔｕｐコードが受信された時の動作を示すフローチャート図である。
【符号の説明】
１００  ＴＡ
２０６，２１１  信号発生器
２０７，２１２  モデム
２０８，２１３  コーデック
２０９，２１４  セレクタ
【図１】
0003754901.tif 000002
【図２】
0003754901.tif 000003
【図３】
0003754901.tif 000004
【図４】
0003754901.tif 000005
【図５】
0003754901.tif 000006
【図６】
0003754901.tif 000007
【図７】
0003754901.tif 000008
【図８】
0003754901.tif 000009